(57)【特許請求の範囲】
【請求項１】
被処理水にマイクロナノバブルを含有させてなるマイクロナノバブル含有被処理水を、生物処理、化学処理および物理処理のうちの少なくとも一つを行う前処理装置を通過させて、
上記前処理装置を通過したマイクロナノバブル含有被処理水を、微生物が繁殖する活性炭を充填した活性炭吸着塔に流入させて、
上記活性炭に繁殖した上記微生物を上記マイクロナノバブルによって活性化して、
上記活性炭に吸着された有機物を、上記活性化した微生物によって分解して、上記活性炭を再生し、
上記前処理装置を通過したマイクロナノバブル含有被処理水を、マイクロナノバブル発生機が設置された第１ピットと、濾過機とを通過させた後、上記活性炭吸着塔に導入することを特徴とする水処理方法。
【請求項２】
生物処理、化学処理および物理処理のうちの少なくとも一つを行う前処理装置と、
内部に活性炭を充填した活性炭吸着塔と、
上記前処理装置の出口と、上記活性炭吸着塔の入口とを接続して、上記前処理装置を流出した液体を上記活性炭吸着塔に案内する第１案内機構と
を備え、
被処理水にマイクロナノバブルを含有させてなるマイクロナノバブル含有被処理水を、上記前処理装置を通過させた後、上記活性炭吸着塔に流入させて、上記活性炭に吸着された有機物を、上記活性炭に繁殖していると共に、上記マイクロナノバブルによって活性化された微生物によって分解し、
上記被処理水が流入するマイクロナノバブル発生槽と、
上記マイクロナノバブル発生槽に設置された第１マイクロナノバブル発生機と、
上記前処理装置を通過したマイクロナノバブル含有被処理水を収容する第１ピットと、
上記第１ピットに設置された少なくとも一つの第２マイクロナノバブル発生機と、
上記第１ピットを通過したマイクロナノバブル含有被処理水を濾過する濾過機と、
マイクロナノバブル発生助剤が貯留されたマイクロナノバブル発生助剤タンクと、
上記活性炭吸着塔から流出した水を収容する第２ピットと、
上記第２ピットに収容されている上記水の水質を検出する水質検出装置と
を備えることを特徴とする水処理装置。
【請求項３】
請求項２に記載の水処理装置において、
上記被処理水を貯水する原水槽と、
上記原水槽に貯水されている上記被処理水を上記マイクロナノバブル発生槽に案内する第２案内機構と
を備えることを特徴とする水処理装置。
【請求項４】
請求項２に記載の水処理装置において、
上記マイクロナノバブル発生助剤タンクと上記第１ピットとの間を連通して、上記マイクロナノバブル発生助剤タンク内の上記マイクロナノバブル発生助剤を上記第１ピットに案内する第１水通路と、
上記マイクロナノバブル発生助剤タンクと上記マイクロナノバブル発生槽との間を連通して、上記マイクロナノバブル発生助剤タンク内の上記マイクロナノバブル発生助剤を上記マイクロナノバブル発生槽に案内する第２水通路と
を備えることを特徴とする水処理装置。
【請求項５】
請求項２に記載の水処理装置において、
上記マイクロナノバブル発生助剤タンクから上記第１ピットに導入される上記マイクロナノバブル発生助剤の流量を制御する第１制御装置と、
上記マイクロナノバブル発生助剤タンクから上記マイクロナノバブル発生槽に導入される上記マイクロナノバブル発生助剤の流量を制御する第２制御装置と
を備え、
上記第１制御装置および第２制御装置の夫々は、上記水質検出装置からの信号に基づいて上記マイクロナノバブル発生助剤の流量を制御するようになっていることを特徴とする水処理装置。
【請求項６】
請求項２に記載の水処理装置において、
上記第１マイクロナノバブル発生機および上記第２マイクロナノバブル発生機の夫々は、上記マイクロナノバブルの発生量を調整する調整部を有し、
上記水質検出装置からの信号に基づいて上記第１マイクロナノバブル発生機および上記第２マイクロナノバブル発生機の上記調整部を調整することによって、上記マイクロナノバブル発生槽中の上記マイクロナノバブルの発生量および上記第１ピット中の上記マイクロナノバブルの発生量を制御する調整部制御器を備えることを特徴とする水処理装置。
【請求項７】
請求項２に記載の水処理装置において、
上記第１ピットよりも上方に位置していると共に、水が通過できる底部を有し、かつ、内部に活性炭が充填されている活性炭層水槽と、
上記濾過機と上記活性炭吸着塔とを連通して、上記濾過機で濾過された上記マイクロナノバブル含有被処理水を上記活性炭吸着塔に案内する第３水通路と、
上記濾過機と上記活性炭層水槽とを連通して、上記濾過機で濾過された上記マイクロナノバブル含有被処理水を上記活性炭層水槽に案内する第４水通路と、
上記活性炭吸着塔に流入する上記濾過機で濾過された上記マイクロナノバブル含有被処理水の水量を制御すると共に、上記活性炭層水槽に流入する上記濾過機で濾過された上記マイクロナノバブル含有被処理水の水量を制御する第３制御装置と
を備え、
上記底部を通過した上記活性炭層水槽通過後の水は、上記第１ピットに流入するようになっていることを特徴とする水処理装置。
【請求項８】
請求項２に記載の水処理装置において、
上記第１ピット内に網袋を配置し、上記網袋には、活性炭が収納されていることを特徴とする水処理装置。
【請求項９】
請求項２に記載の水処理装置において、
上記活性炭吸着塔内に、ひも状型ポリ塩化ビニリデン充填物が充填されていることを特徴とする水処理装置。
【請求項１０】
請求項２に記載の水処理装置において、
上記活性炭吸着塔内に、リング型ポリ塩化ビニリデン充填物が充填されていることを特徴とする水処理装置。
【請求項１１】
請求項２に記載の水処理装置において、
複数の上記第２マイクロナノバブル発生機と、
稼働する上記第２マイクロナノバブル発生機の数を上記水質検出装置からの信号に基づいて制御する運転台数制御器と
を備えることを特徴とする水処理装置。
【請求項１２】
請求項２に記載の水処理装置において、
上記前処理装置は、一つの生物処理装置からなることを特徴とする水処理装置。
【請求項１３】
請求項２に記載の水処理装置において、
上記前処理装置は、一つの化学処理装置からなることを特徴とする水処理装置。
【請求項１４】
請求項２に記載の水処理装置において、
上記前処理装置は、一つの物理処理装置からなることを特徴とする水処理装置。
【請求項１５】
請求項２に記載の水処理装置において、
上記マイクロナノバブル発生助剤は、上記微生物によって分解される界面活性剤または上記微生物によって分解されるアルコール類であることを特徴とする水処理装置。
【発明の詳細な説明】
【技術分野】
【０００１】
本発明は、水処理方法および水処理装置に関する。本発明は、特に、マイクロナノバブル発生助剤を複数の段階で被処理水に添加して、マイクロナノバブルを効率的に発生させて、微生物の活性を高めるようにした水処理方法および水処理装置に関する。また、本発明は、特に、排水、用水および純水のいずれの水の水処理も行うことができて、有機フッ素化合物を含有する排水の排水処理も行うことができる水処理方法および水処理装置に関する。また、本発明は、特に、排水や上水等の水中の有機物を、マイクロナノバブルを含有したマイクロナノバブル含有被処理水を導入して処理する各種処理装置と、マイクロナノバブルで活性化した微生物が繁殖した活性炭吸着塔とを用いて処理する水処理装置に関する。
【背景技術】
【０００２】
従来、有機物負荷が少ない上水における生物活性炭システムとしては、浄水場において河川の水を活性炭処理するシステムがある。このシステムは、有機物負荷が少ない場合、活性炭吸着塔の活性炭に微生物が良好に繁殖することを利用している。このシステムは、活性炭吸着塔の活性炭に微生物を繁殖させて、活性炭が吸着した有機物を微生物分解することにより、浄化するようになっている。このシステムは、活性炭の再生が不要であるという長所を有している。
【０００３】
しかしながら、上記システムは、有機物負荷が少ない場合に限られ、有機物負荷が大きい排水には、適用できないという問題がある。このため、有機物負荷が大きい排水に対する生物活性炭システムが所望されているのが実情である。
【０００４】
このような実情において、最近では浄水にナノバブルを適用しようとしている試みがある。
【０００５】
従来、ナノバブルを使用した浄水技術としては、特開２００４−１２１９６２号公報（特許文献１）に記載された技術がある。
【０００６】
この技術は、ナノバブルが有する浮力の減少、表面積の増加、表面活性の増大、局所高圧場の生成、および、静電分極の実現に起因する界面活性作用や殺菌作用などの特性を活用するものである。
【０００７】
より具体的には、上記特許文献１には、ナノバブルが有する上記複数の要因が相互に関連することによって、汚れ成分の吸着機能、物体表面の高速洗浄機能、殺菌機能が実現され、各種物体を高機能かつ低環境負荷で洗浄することができ、汚濁水の浄化を行うことができることが開示されている。
【０００８】
また、従来、ナノ気泡の生成方法としては、特開２００３−３３４５４８号公報（特許文献２）に記載されているものがある。
【０００９】
この方法は、液体中において液体の一部を分解ガス化する工程と、液体中で超音波を印加する工程または液体の一部を分解ガス化する工程と、超音波を印加する工程とで構成されている。
【００１０】
また、従来、マイクロバブルを利用する廃液の処理装置としては、特開２００４−３２１９５９号公報（特許文献３）に記載されたオゾンマイクロバブルを利用する廃液の処理装置がある。
【００１１】
この装置は、オゾン発生装置より生成されたオゾンガスと、処理槽の下部から抜き出された廃液とを、加圧ポンプを介してマイクロバブル発生装置に供給するようになっている。この装置は、生成されたオゾンマイクロバブルをガス吹き出しパイプの開口部より処理槽内の廃液中に通気することによって、廃液の処理を行うようになっている。
【００１２】
しかしながら、上記３つの公報に記載されている気泡（バブル）を用いた装置は、水の浄水と無関係であるか、または、水の浄化を目的として水の浄化に活性炭を使用している場合では、活性炭吸着塔における自発的な活性炭の再生が困難であるという問題がある。
【００１３】
すなわち、従来、排水処理に活性炭を使用している場合では、時間の経過とともに活性炭が有機物を吸着していくにつれて、活性炭が吸着不能になって、活性炭が破過することを避けがたい。特に、活性炭を排水で使用する場合、必ず、一定期間後、活性炭の吸着能力が極端に低下して、活性炭の吸着能力が破過するという問題がある。また、有機物負荷が大きいときにも、活性炭が破過することを避けがたい。このため、吸着不能になった活性炭を、活性炭吸着塔から人為的に取り出して再生する必要があるから、常時排水処理を行おうとした場合、予備の活性炭吸着塔の設置等が必要になる。更には、従来の活性炭を使用した処理方法では、活性炭の抜き出し作業や別の場所での活性炭再生作業が必要になる。
【００１４】
このため、従来の装置および方法では、予備の活性炭吸着塔の設置等のイニシャルコストの増大や、活性炭の抜き出し作業や別の場所での活性炭再生作業に起因するランニングコストの増大の問題を避けがたいという問題がある。
【００１５】
又、排水は、その流入水質の変動が頻繁に発生するから、活性炭吸着塔への流入水質が変動しても、活性炭吸着塔出口の水質が一定であることが望ましい。しかしながら、従来の技術では、活性炭の吸着能力に限界があり、活性炭吸着塔への流入水質が頻繁に変動した場合、活性炭吸着塔出口の水質を一定に保つことが難しいという問題がある。すなわち、活性炭吸着設備の能力の向上が、所望されているという問題がある。
【特許文献１】特開２００４−１２１９６２号公報
【特許文献２】特開２００３−３３４５４８号公報
【特許文献３】特開２００４−３２１９５９号公報
【発明の開示】
【発明が解決しようとする課題】
【００１６】
そこで、本発明の課題は、活性炭の吸着能力を向上させることができると共に、活性炭を人為的に再生する必要がなく、かつ、浄化能力に優れる水処理方法および水処理装置を提供することにある。また、本発明は、特に、本願によって開示される強力な微生物再生を使用することによって、活性炭の再生と有機物の活性炭への吸着とを同時に強化にすることができて、処理水の水質の向上と安定化を実現することができる水処理方法および水処理装置を提供することにある。また、本発明は、特に、被処理水の水質が頻繁に変動するような場合でも、処理後の水の水質を略一定にすることができる水処理方法および水処理装置を提供することにある。
【課題を解決するための手段】
【００１７】
上記課題を解決するため、この発明の水処理方法は、
被処理水にマイクロナノバブルを含有させてなるマイクロナノバブル含有被処理水を、生物処理、化学処理および物理処理のうちの少なくとも一つを行う前処理装置を通過させて、
上記前処理装置を通過したマイクロナノバブル含有被処理水を、微生物が繁殖する活性炭を充填した活性炭吸着塔に流入させて、
上記活性炭に繁殖した上記微生物を上記マイクロナノバブルによって活性化して、
上記活性炭に吸着された有機物を、上記活性化した微生物によって分解して、上記活性炭を再生し、
上記前処理装置を通過したマイクロナノバブル含有被処理水を、マイクロナノバブル発生機が設置された第１ピットと、濾過機とを通過させた後、上記活性炭吸着塔に導入することを特徴としている。
【００１８】
通常のバブル（気泡）は水の中を上昇して、ついには表面でパンとはじけて消滅するバブルであり、マイクロバブルは、直径が１０〜数十μｍの気泡径を有する気泡で、水中で収縮していき、ついには消滅（完全溶解）してしまうバブルである。また、ナノバブルは、マイクロバブルよりさらに小さいバブル（直径が数百ｎｍ以下の直径を有する気泡）でいつまでも水の中に存在することが可能なバブルである。本明細書では、マイクロナノバブルを、上記説明のマイクロバブルと、上記説明のナノバブルとが混合したバブルとして定義する。
【００１９】
本発明によれば、被処理水にマイクロナノバブルを含有させてなるマイクロナノバブル含有被処理水を、活性炭吸着塔に導入する前に、上記前処理装置を通過させるようになっているので、上記前処理装置が存在しない場合と比較して、上記活性炭に繁殖している微生物を活性化させることができる。
【００２０】
また、本発明によれば、上記活性炭に吸着した上記マイクロナノバブル含有被処理水中の有機物を、上記マイクロナノバブルによって活性化した上記微生物によって分解するので、上記マイクロナノバブルを用いない場合と比較して上記有機物の分解速度を格段に大きくすることができる。したがって、被処理水の浄化の能力を格段に向上させることができる。
【００２１】
また、本発明によれば、上記マイクロナノバブルを用いない場合と比較して、上記有機物の分解速度を格段に大きくすることができて、上記活性炭に吸着した上記有機物を略完全に分解することができるから、活性炭の表面に過剰に有機物が吸着することがなく、活性炭が自発的に再生する。したがって、人為的に活性炭を再生する必要がないから、ランニングコストを低減することができる。
【００２２】
また、一実施形態の水処理方法は、上記微生物によって分解される上記有機物の分解速度が、上記活性炭に吸着される上記有機物の吸着速度以上である。
【００２３】
上記分解速度を、微生物が分解する単位時間あたりの有機物分子の個数と定義し、上記吸着速度を、活性炭に吸着される単位時間あたりの有機物分子の個数と定義する。
【００２４】
上記実施形態によれば、活性炭の再生速度が、活性炭への有機物が活性炭へ吸着するときの吸着速度以上であるから、再生を吸着と同時進行させることができるか、あるいは、再生を吸着よりも速く行うことができる。したがって、活性炭の吸着能力を、常に、新品の活性炭の吸着能力と同程度にすることができる。したがって、年間を通じて処理後の水の処理水質を安定させることができる。
【００２５】
【００２６】
また、本発明によれば、活性炭吸着塔において、活性炭の有機物の吸着効率を向上させることができる。
【００２７】
また、一実施形態の水処理方法は、上記被処理水が、有機フッ素化合物を含んでいる。
【００２８】
有機フッ素化合物の中には、化学的に安定なため、一旦環境に排出されると、環境中で分解することができず、いつまでも環境中に存在し続ける性質を有するものもある。
【００２９】
本発明の水処理方法は、マイクロナノバブルによって活性化した微生物で有機物の分解を行う様式であって浄化能力が高いので、分解しにくい上記有機フッ素化合物であっても分解処理を行うことができる。
【００３０】
また、本発明の水処理装置は、
生物処理、化学処理および物理処理のうちの少なくとも一つを行う前処理装置と、
内部に活性炭を充填した活性炭吸着塔と、
上記前処理装置の出口と、上記活性炭吸着塔の入口とを接続して、上記前処理装置を流出した液体を上記活性炭吸着塔に案内する第１案内機構と
を備え、
被処理水にマイクロナノバブルを含有させてなるマイクロナノバブル含有被処理水を、上記前処理装置を通過させた後、上記活性炭吸着塔に流入させて、上記活性炭に吸着された有機物を、上記活性炭に繁殖していると共に、上記マイクロナノバブルによって活性化された微生物によって分解し、
上記被処理水が流入するマイクロナノバブル発生槽と、
上記マイクロナノバブル発生槽に設置された第１マイクロナノバブル発生機と、
上記前処理装置を通過したマイクロナノバブル含有被処理水を収容する第１ピットと、
上記第１ピットに設置された少なくとも一つの第２マイクロナノバブル発生機と、
上記第１ピットを通過したマイクロナノバブル含有被処理水を濾過する濾過機と、
マイクロナノバブル発生助剤が貯留されたマイクロナノバブル発生助剤タンクと、
上記活性炭吸着塔から流出した水を収容する第２ピットと、
上記第２ピットに収容されている上記水の水質を検出する水質検出装置と
を備えることを特徴としている。
【００３１】
本発明によれば、被処理水にマイクロナノバブルを含有させてなるマイクロナノバブル含有被処理水を、活性炭吸着塔に導入する前に、上記前処理装置を通過させるようになっているので、上記前処理装置が存在しない場合と比較して、上記活性炭に繁殖している微生物を活性化させることができる。
【００３２】
また、本発明によれば、上記活性炭に吸着した上記マイクロナノバブル含有被処理水中の有機物を、上記マイクロナノバブルによって活性化した上記微生物によって分解するので、上記マイクロナノバブルを用いない場合と比較して上記有機物の分解速度を格段に大きくすることができる。したがって、被処理水の浄化の能力を格段に向上させることができる。
【００３３】
また、本発明によれば、上記マイクロナノバブルを用いない場合と比較して、上記有機物の分解速度を格段に大きくすることができて、上記活性炭に吸着した上記有機物を略完全に分解することができるから、活性炭の表面に過剰に有機物が吸着することがなく、活性炭が自発的に再生する。したがって、人為的に活性炭を再生する必要がないから、ランニングコストを低減することができる。
【００３４】
【００３５】
また、本発明によれば、マイクロナノバブルを２段階で発生させることができるから、マイクロナノバブル効率的に発生させることができる。また、前処理装置を、マイクロナノバブル発生槽と、第１ピットとの間に接続すれば、１段階目のマイクロナノバブルを、処理装置の機能に活用でき、また、２段階目のマイクロナノバブルを、活性炭吸着塔の活性炭の再生に活用できるから、水処理の処理能力を格段に向上させることができる。
【００３６】
また、一実施形態の水処理装置は、
上記被処理水を貯水する原水槽と、
上記原水槽に貯水されている上記被処理水を上記マイクロナノバブル発生槽に案内する第２案内機構と
を備える。
【００３７】
上記実施形態によれば、流水を一時的に原水槽に貯水することができて、処理量や、処理水準に基づいて、必要な量の被処理水を、マイクロナノバブル発生槽に導入することができる。
【００３８】
また、一実施形態の水処理装置は、
上記マイクロナノバブル発生助剤タンクと上記第１ピットとの間を連通して、上記マイクロナノバブル発生助剤タンク内の上記マイクロナノバブル発生助剤を上記第１ピットに案内する第１水通路と、
上記マイクロナノバブル発生助剤タンクと上記マイクロナノバブル発生槽との間を連通して、上記マイクロナノバブル発生助剤タンク内の上記マイクロナノバブル発生助剤を上記マイクロナノバブル発生槽に案内する第２水通路と
を備える。
【００３９】
上記実施形態によれば、マイクロナノバブル発生槽と、第１ピットとで発生するマイクロナノバブルの量および質を、向上させることができて、所定の量および質にすることができる。
【００４０】
また、一実施形態の水処理装置は、
上記マイクロナノバブル発生助剤タンクから上記第１ピットに導入される上記マイクロナノバブル発生助剤の流量を制御する第１制御装置と、
上記マイクロナノバブル発生助剤タンクから上記マイクロナノバブル発生槽に導入される上記マイクロナノバブル発生助剤の流量を制御する第２制御装置と
を備え、
上記第１制御装置および第２制御装置の夫々は、上記水質検出装置からの信号に基づいて上記マイクロナノバブル発生助剤の流量を制御するようになっている。
【００４１】
上記実施形態によれば、上記第１制御装置および第２制御装置の夫々は、上記水質検出装置からの信号に基づいて上記マイクロナノバブル発生助剤の流量を制御するから、マイクロナノバブル発生助剤タンクおよび第１ピットに、適切な量および質のマイクロナノバブルを発生させることができる。
【００４２】
また、一実施形態の水処理装置は、
上記第１マイクロナノバブル発生機および上記第２マイクロナノバブル発生機の夫々は、上記マイクロナノバブルの発生量を調整する調整部を有し、
上記水質検出装置からの信号に基づいて上記第１マイクロナノバブル発生機および上記第２マイクロナノバブル発生機の上記調整部を調整することによって、上記マイクロナノバブル発生槽中の上記マイクロナノバブルの発生量および上記第１ピット中の上記マイクロナノバブルの発生量を制御する調整部制御器を備える。
【００４３】
上記実施形態によれば、マイクロナノバブル発生助剤タンクおよび第１ピットに、適切な量および質のマイクロナノバブルを発生させることができる。
【００４４】
また、一実施形態の水処理装置は、
上記第１ピットよりも上方に位置していると共に、水が通過できる底部を有し、かつ、内部に活性炭が充填されている活性炭層水槽と、
上記濾過機と上記活性炭吸着塔とを連通して、上記濾過機で濾過された上記マイクロナノバブル含有被処理水を上記活性炭吸着塔に案内する第３水通路と、
上記濾過機と上記活性炭層水槽とを連通して、上記濾過機で濾過された上記マイクロナノバブル含有被処理水を上記活性炭層水槽に案内する第４水通路と、
上記活性炭吸着塔に流入する上記濾過機で濾過された上記マイクロナノバブル含有被処理水の水量を制御すると共に、上記活性炭層水槽に流入する上記濾過機で濾過された上記マイクロナノバブル含有被処理水の水量を制御する第３制御装置と
を備え、
上記底部を通過した上記活性炭層水槽通過後の水は、上記第１ピットに流入するようになっている。
【００４５】
上記実施形態によれば、濾過機で濾過された後の水の少なくとも一部を、活性炭層水槽を介して第１ピットに再度導入することができる。すなわち、被処理水を、第１ピット、濾過機、活性炭層水槽の間で、循環処理することができるので、有機物負荷を低減できる。また、マイクロナノバブル含有被処理水を、活性炭層水槽に導入するようにすれば、活性炭層水槽の活性炭に繁殖している微生物を活性化することができて、この活性炭層水槽の活性炭に吸着した有機物を効率的に分解処理することができる。したがって、被処理水の浄化能力を向上させることができるから、処理前の被処理水の有機物負荷が高い場合であっても、処理後の水の水質が劣化することを防止でき、かつ、活性炭層水槽の活性炭の人為的な再生を行う必要がない。
【００４６】
また、一実施形態の水処理装置は、上記第１ピット内に網袋を配置し、上記網袋には、活性炭が収納されている。
【００４７】
上記実施形態によれば、上記第１ピット内に網袋を配置し、上記網袋には、活性炭が収納されているので、有機物負荷を低減できる。また、マイクロナノバブルで網袋内の活性炭に繁殖している微生物を活性化することができて、この網袋内の活性炭に吸着した有機物を効率的に分解処理することができる。したがって、被処理水の浄化能力を向上させることができるから、処理前の被処理水の有機物負荷が高い場合であっても、処理後の水の水質が劣化することを防止でき、かつ、網袋内の活性炭の人為的な再生を行う必要がない。
【００４８】
また、一実施形態の水処理装置は、上記活性炭吸着塔内に、ひも状型ポリ塩化ビニリデン充填物が充填されている。
【００４９】
上記実施形態によれば、ひも状型ポリ塩化ビニリデン充填物に繁殖している微生物で有機物を分解することができるので、ひも状型ポリ塩化ビニリデン充填物が存在していない場合と比較して、活性炭吸着塔内の被処理水の有機物負荷を低減することができる。したがって、浄化能力を向上させることができる。
【００５０】
また、特に、活性炭吸着塔内において、ひも状型ポリ塩化ビニリデン充填物を、活性炭よりも被処理水の上流側に配置した場合、ひも状型ポリ塩化ビニリデン充填物に繁殖した微生物で前処理した後に、活性炭と被処理水とが接触することになるので、活性炭への有機物負荷が減少し、水質を格段に向上させることができる。更に、ひも状型ポリ塩化ビニリデン充填物で繁殖した微生物を、マイクロナノバブル含有被処理水の流れに沿って活性炭に移動させることができるから、活性炭の自動再生能力（自発的な再生能力）を、向上させることができる。
【００５１】
また、一実施形態の水処理装置は、上記活性炭吸着塔内に、リング型ポリ塩化ビニリデン充填物が充填されている。
【００５２】
上記実施形態によれば、リング型ポリ塩化ビニリデン充填物に繁殖している微生物で有機物を分解することができるので、リング型ポリ塩化ビニリデン充填物が存在していない場合と比較して、活性炭吸着塔内の被処理水の有機物負荷を低減することができる。したがって、浄化能力を向上させることができる。
【００５３】
また、特に、活性炭吸着塔内において、リング型ポリ塩化ビニリデン充填物を、活性炭よりも被処理水の上流側に配置した場合、リング型ポリ塩化ビニリデン充填物に繁殖した微生物で前処理した後に、活性炭と被処理水とが接触することになるので、活性炭への有機物負荷が減少し、水質を格段に向上させることができる。更に、リング型ポリ塩化ビニリデン充填物で繁殖していると共に、マイクロナノバブルで活性化した微生物を、マイクロナノバブル含有被処理水の流れに沿って活性炭に移動させることができるから、活性炭の自動再生能力（自発的な再生能力）を、向上させることができる。
【００５４】
また、一実施形態の水処理装置は、
複数の上記第２マイクロナノバブル発生機と、
稼働する上記第２マイクロナノバブル発生機の数を上記水質検出装置からの信号に基づいて制御する運転台数制御器と
を備える。
【００５５】
上記実施形態によれば、活性炭吸着塔通過後の水の水質に基づいて稼働するマイクロナノバブル発生機の数を制御することができるので、被処理水の水質が頻繁に変動するような場合でも、活性炭吸着塔通過後の水の水質を一定に近づけることができる。
【００５６】
また、一実施形態の水処理装置は、上記前処理装置が、一つの生物処理装置からなる。
【００５７】
上記実施形態によれば、被処理水中の有機物を、生物処理装置内に存在していると共に、マイクロナノバブルで活性化している微生物で分解処理することができる。そして残存する有機物を、さらに活性炭吸着塔の活性炭に繁殖していると共に、マイクロナノバブルで活性化した微生物で処理することができる。したがって、処理能力を格段に向上させることができる。
【００５８】
また、一実施形態の水処理装置は、上記前処理装置が、一つの化学処理装置からなる。
【００５９】
本発明者は、被処理水にマイクロナノバブルを含有させてなるマイクロナノバブル含有被処理水を化学処理装置に導入すると、化学処理装置で行う化学処理、すなわち、化学反応の効率を向上させることができることを確認した。
【００６０】
上記実施形態によれば、マイクロナノバブル含有被処理水を化学処理装置に導入しているので、マイクロナノバブル含有被処理水に含まれる化学物質を、効果的に化学処理することができる。そして、その後、残存する有機物を活性炭吸着塔の活性炭で処理することができる。したがって、処理能力を格段に向上させることができる。
【００６１】
また、一実施形態の水処理装置は、上記前処理装置が、一つの物理処理装置からなる。
【００６２】
本発明者は、被処理水にマイクロナノバブルを含有させてなるマイクロナノバブル含有被処理水を物理処理装置に導入すると、物理処理装置で行う物理処理の効率を向上させることができることを確認した。
【００６３】
上記実施形態によれば、マイクロナノバブル含有被処理水を物理処理装置に導入しているので、マイクロナノバブル含有被処理水に含まれる浮遊物質を、効果的に除去することができて、活性炭吸着塔内の活性炭が浮遊物質で閉塞されるのを抑制できる。したがって、活性炭吸着塔内の微生物の有機物分解能力を向上させることができる。
【００６４】
また、一実施形態の水処理装置は、上記マイクロナノバブル発生助剤が、上記微生物によって分解される界面活性剤または上記微生物によって分解されるアルコール類である。
【００６５】
上記実施形態によれば、上記マイクロナノバブル発生助剤が、上記微生物によって分解される界面活性剤または上記微生物によって分解されるアルコール類であるから、マイクロナノバブルの発生に寄与して役割が終わったマイクロナノバブル発生助剤を、上記活性炭吸着塔内等に存在する微生物で分解することができる。そして、処理後の水に残存するマイクロナノバブル発生助剤の量を殆どゼロにすることができる。
【発明の効果】
【００６６】
本発明の水処理方法および水処理装置によれば、被処理水にマイクロナノバブルを含有させてなるマイクロナノバブル含有被処理水を、活性炭吸着塔に導入する前に、前処理装置を通過させるようになっているので、前処理装置が存在しない場合と比較して、活性炭に繁殖している微生物の有機物分解能力を向上させることができる。
【００６７】
また、本発明の水処理方法および水処理装置によれば、上記活性炭に吸着した上記マイクロナノバブル含有被処理水中の有機物を、上記マイクロナノバブルによって活性化した上記微生物によって分解するので、上記マイクロナノバブルを用いない場合と比較して上記有機物の分解速度を格段に大きくすることができる。したがって、被処理水の浄化の能力を格段に向上させることができる。
【００６８】
また、本発明の水処理方法および水処理装置によれば、上記マイクロナノバブルを用いない場合と比較して、上記有機物の分解速度を格段に大きくすることができて、上記活性炭に吸着した上記有機物を略完全に分解することができるから、活性炭の表面に過剰に有機物が吸着することがなく、活性炭が自発的に再生する。したがって、人為的に活性炭を再生する必要がないから、ランニングコストを低減することができる。
【発明を実施するための最良の形態】
【００６９】
以下、本発明を図示の形態により詳細に説明する。
【００７０】
（第１実施形態）
図１は、本発明の水処理装置の第１実施形態を模式的に示す図である。
【００７１】
この水処理装置は、原水槽３６と、マイクロナノバブル発生槽３８と、第１ピット１と、急速濾過機１１と、活性炭吸着塔１２と、前処理装置の一例としての生物処理装置４２と、マイクロナノバブル発生助剤タンク１３と、第２ピット１７とを備える。上記活性炭吸着塔１２内には、活性炭が充填されている一方、マイクロナノバブル発生助剤タンク１３内には、微生物分解性の良い界面活性剤や、微生物分解性の良いアルコール類等から成る微生物分解性の良いマイクロナノバブル発生助剤が貯留されている。また、マイクロナノバブル発生槽３８には、第１マイクロナノバブル発生機としての第１水中ポンプ型マイクロナノバブル発生機４１が設置されている一方、第１ピット１には、第２マイクロナノバブル発生機としての第２水中ポンプ型マイクロナノバブル発生機２、第２マイクロナノバブル発生機としての第３水中ポンプ型マイクロナノバブル発生機３、第２マイクロナノバブル発生機としての第４水中ポンプ型マイクロナノバブル発生機４が設置されている。尚、以下で言及されるマイクロナノバブル含有被処理水は、被処理水にマイクロナノバブルが含有させられたものである。
【００７２】
上記原水槽３６には、処理するべき被処理水としての流入水が導入されるようになっている。原水槽３６の被処理水は、原水槽ポンプ３７によって、マイクロナノバブル発生槽３８に移送されるようになっている。原水槽３６とマイクロナノバブル発生槽３８とをつなぐ配管７０および原水槽ポンプ３７は、第２案内機構を構成している。マイクロナノバブル発生槽３８を出た被処理水は、生物処理装置４２を経て第１ピット１に導入されるようになっている。第１ピット１のマイクロナノバブル含有被処理水は、第１ピットポンプ８によって汲み上げられて、その汲み上げられたマイクロナノバブル含有被処理水の少なくとも一部は、急速濾過機１１に導入されるようになっている。また、急速濾過機１１の出口から流出したマイクロバブル含有被処理水は、活性炭吸着塔１２に導入されるようになっている。また、活性炭吸着塔１２の出口から流出した活性炭吸着塔通過後の水の少なくとも一部は、第２ピット１７に導入されるようになっている。尚、この実施形態では、急速濾過機１１は、マイクロナノバブルと被処理水とを含むマイクロナノバブル含有被処理水を濾過したが、この発明では、濾過機は活性炭吸着塔の前段であれば何処に設置されていても良く、マイクロナノバブルを有さない処理水の濾過をおこなっても良い。
【００７３】
上記原水槽３６には、処理するべき被処理水としての流入水が導入されるようになっている。ここで、流入水としては、排水、上水、工場での再利用水、河川水、または、地下水等がある。また、上記排水には、有機フッ素化合物を含む排水である有機フッ素化合物含有排水も含まれる。有機フッ素化合物の中には、化学的に安定なため、一旦環境に排出されると、環境中で分解することができず、いつまでも環境中に存在し続ける性質を有するものもある。本発明の装置および方法で処理できる排水には、いつまでも環境中に存在し続ける性質を有して現在世界的に問題となっているこのような有機フッ素化合物を含む排水が含まれる。
【００７４】
上述のように、上記原水槽３６には、原水槽ポンプ３７が設置されており、原水槽３６の被処理水をマイクロナノバブル発生槽３８に移送している。また、上記マイクロナノバブル発生槽３８には、第１水中ポンプ型マイクロナノバブル発生機４１が設置されている。第４水中ポンプ型マイクロナノバブル発生機４１は、マイクロナノバブルを発生させるために空気を必要とする。マイクロナノバブルを発生させるための空気は、ブロワー３９から空気配管４０を経て第１水中ポンプ型マイクロナノバブル発生機４１に導入されるようになっている。
【００７５】
また、上記マイクロナノバブル発生助剤タンク１３には、マイクロナノバブル発生助剤が貯留されている。上記マイクロナノバブル発生助剤は、マイクロナノバブル発生助剤タンク１３から第１ピット１およびマイクロナノバブル発生槽３８に必要量添加されるようになっている。
【００７６】
第１マイクロナノバブル発生助剤タンク定量ポンプ１４は、マイクロナノバブル発生助剤タンク１３から第１ピット１に添加されるマイクロナノバブル発生助剤の量を調整する役割を果たしている。また、第２マイクロナノバブル発生助剤タンクポンプ４５は、マイクロナノバブル発生助剤タンク１３からマイクロナノバブル発生槽３８に添加されるマイクロナノバブル発生助剤の量を調整する役割を果たしている。第１マイクロナノバブル発生助剤タンク定量ポンプ１４は、第１制御装置を構成する一方、第２マイクロナノバブル発生助剤タンクポンプ４５は、第２制御装置を構成している。
【００７７】
マイクロナノバブル発生助剤としては、上述のように、微生物分解しやすい界面活性剤、または、微生物分解しやすいアルコール類を使用する。微生物分解しやすい界面活性剤、または、微生物分解しやすいアルコール類は、マイクロナノバブルを発生させた後、微生物により分解されるから、処理水の水質に影響することがない。
【００７８】
上記第１水中ポンプ型マイクロナノバブル発生機４１は、調整部としてのモーターを有している。上記第１水中ポンプ型マイクロナノバブル発生機４１のモーターの回転数は、第２ピット２に設置してある水質検出装置の一例としてのＵＶ検出器１８での測定値によって制御されている。詳しくは、ＵＶ検出器１８から出力された処理水の水質を表す信号は、ＵＶ調節計１９を経て、調整部制御器としてのモーター回転数制御器２０に送られるようになっている。また、モーター回転数制御器２０は、ＵＶ調節計１９からの上記信号に基づいて第１水中ポンプ型マイクロナノバブル発生機４１の回転数を制御するようになっている。
【００７９】
尚、ＵＶ検出器１８の測定値（出力信号）は、ＵＶ調節計１９およびモーター回転数制御器２０を経て、第１ピット１に設置してある第２水中ポンプ型マイクロナノバブル発生機２のモーター、第３水中ポンプ型マイクロナノバブル発生機３のモーター、および、第４水中ポンプ型マイクロナノバブル発生機４のモ−ターにも到達するようになっている。上記回転数制御器２０は、ＵＶ調節計１９から信号を受けると、第２水中ポンプ型マイクロナノバブル発生機２のモーター、第３水中ポンプ型マイクロナノバブル発生機３のモーター、および、第４水中ポンプ型マイクロナノバブル発生機４のモ−ターの回転数制御も行うようになっている。
【００８０】
上述のように、水質検出装置の一例としてのＵＶ検出器（紫外吸光光度検出器）１８（ＵＶは、ウルトラバイオレット（紫外）の略）が、第２ピット１７内に設置されている。ＵＶ検出器１８は、活性炭吸着塔１２の出口からの処理水の有機物濃度を測定することによって、活性炭吸着塔通過後の水の水質を測定するようになっている。具体的には、ＵＶ検出器１８は、被処理水（排水や上水等）中の有機物濃度を、紫外吸光光度を利用して測定する自動測定器からなっている。尚、水質検出装置として、ＵＶ検出器のかわりに、ＣＯＤ（化学的酸素要求量）を検出するＣＯＤ計等のＵＶ検出器以外の水質検出装置を使用しても良い。
【００８１】
上記マイクロナノバブル発生槽３８を出た、被処理水は、生物処理装置４２に導入されるようになっている。上記生物処理装置４２は、例えば、活性汚泥装置、接触酸化装置、回転円盤装置、または、液中膜（ここで、液中膜とは、液中に存在する膜のことをいう）を利用した曝気装置等の装置からなるか、または、これらの装置のうちの少なくとも２つを直列等に接続した装置からなっている。上記生物処理装置４２は、流入水の水質、基質、目的水質等によって、選定されるようになっている。上記生物処理装置４２を流出した被処理水は、配管９０を通じて第１ピッド１に導入されるようになっている。
【００８２】
尚、上記第１ピット１には、第２水中ポンプ型マイクロナノバブル発生機２、第３水中ポンプ型マイクロナノバブル発生機３、および、第４水中ポンプ型マイクロナノバブル発生機４が設置されているが、この発明では、第１ピット内に、第２マイクロナノバブル発生機としての水中ポンプ型マイクロナノバブル発生機を、３つ以外の台数、すなわち、１つ、２つ、または、４つ以上設置しても良いことは言うまでもない。水中ポンプ型マイクロナノバブル発生機２,３,４は、マイクロナノバブルを発生させるのに空気を必要とする。そのため、水中ポンプ型マイクロナノバブル発生機２,３,４には、ブロワー５と接続している空気配管６より空気が供給されるようになっている。
【００８３】
ここで、マイクロナノバブルを定義することにする。通常のバブル（気泡）は水の中を上昇して、ついには表面でパンとはじけて消滅するバブルであり、マイクロバブルは、直径が１０〜数十μｍの気泡径を有する気泡で、水中で収縮していき、ついには消滅（完全溶解）してしまうバブルである。また、ナノバブルは、マイクロバブルよりさらに小さいバブル（直径が数百ｎｍ以下の直径を有する気泡）でいつまでも水の中に存在することが可能なバブルである。本発明では、マイクロナノバブルを、上記説明のマイクロバブルと、上記説明のナノバブルとが混合したバブルとして定義する。
【００８４】
図１に３４で示す運転台数制御器は、第２ピット１７に設置されているＵＶ検出器１８の信号に基づいて、水中ポンプ型マイクロナノバブル発生機２,３,４,４１の運転台数を制御するようになっている。詳しくは、ＵＶ検出器１８からの処理水の水質を表す信号は、ＵＶ調節計（紫外線調節計）１９に送られるようになっており、ＵＶ調節計１９は、ＵＶ検出器１８から上記信号を受けると、上述のように、調整部制御器としてのモーター回転数制御器２０に信号を送信すると共に、運転台数制御器３４にも信号を送信するようになっている。
【００８５】
運転台数制御器３４は、ＵＶ調節計１９から信号を受けると、その信号を調整して水中ポンプ型マイクロナノバブル発生機２,３,４,４１のうちで運転状態である水中ポンプ型マイクロナノバブル発生機の数を制御するようになっている。この実施形態では、第１ピット１内に水中ポンプ型マイクロナノバブル発生機を３つ設置して、水中ポンプ型マイクロナノバブル発生機の稼働台数を１から３まで調整できるようにして、第１ピット１内に、適切な量のマイクロナノバブルを発生させるようにしている。
【００８６】
一方、上述のように、モーター回転数制御器２０は、ＵＶ調節計１９から信号を受けると、その信号を調整して水中ポンプ型マイクロナノバブル発生機２,３,４,４１の稼働状態におけるモーターのモーター回転数（回転速度）を制御するようになっている。各水中ポンプ型マイクロナノバブル発生機２,３,４,４１において、モーターは、調整部を構成している。このような、運転台数制御器３４およびモーター回転数制御器２０の制御により、第２ピット１７内の水の水質が、目的に合った水質となるようにしている。
【００８７】
マイクロナノバブル含有被処理水におけるマイクロナノバブルの含有率が高いと、活性炭に繁殖する微生物の活性化が促進されて、微生物が有機物をより分解して、処理後の水の水質が向上することが確かめられた。このことに鑑み、ＵＶ検出器１９で測定した有機物濃度が高く、第２ピット１７内の水質が目的水質より悪い場合は、水中ポンプ型マイクロナノバブル発生機２,３,４,４１のモーター回転数を高く設定して、マイクロナノバブルを多量に発生するようにする。また、水中ポンプ型マイクロナノバブル発生機２,３,４,４１の運転台数も最大数とする。このようにして、第２ピット１７の水の浄化能力を高くする。
【００８８】
一方、水質が目的水質より良い場合は、水中ポンプ型マイクロナノバブル発生機２,３,４,４１のモーター回転数を低く設定して、マイクロナノバブルの発生量を少量にする。また、水中ポンプ型マイクロナノバブル発生機２,３,４,４１のうちで運転状態である水中ポンプ型マイクロナノバブル発生機の数を、設定によって適宜変更する。このようにして、第２ピット１７の水質が元々良い場合は、水処理装置の運転コストを低減するようにして、水処理装置の省エネ運転を実現する。
【００８９】
水中ポンプ型マイクロナノバブル発生機２,３,４,４１の具体的な制御方法としては、例えば、次に示すような方法がある。
【００９０】
先ず、第２ピット１７の水質が、第２ピット１７の水質が最も悪い状態か、または、それ以外の状態であるかの判断の基準となる第1基準水質より悪い場合には、水中ポンプ型マイクロナノバブル発生機４１、水中ポンプ型マイクロナノバブル発生機２、水中ポンプ型マイクロナノバブル発生機３、および、水中ポンプ型マイクロナノバブル発生機４を運転状態にし、かつ、水中ポンプ型マイクロナノバブル発生機４１、水中ポンプ型マイクロナノバブル発生機２、水中ポンプ型マイクロナノバブル発生機３、および、水中ポンプ型マイクロナノバブル発生機４の夫々のモーター回転数を最大にする。
【００９１】
また、第２ピット１７の水質が通常であるか、または、第２ピット１７の水質が良好であるかを判断する基準水質を第２基準水質とするとき、第２ピット１７の水質が、第１基準水質より良くて第２基準水質より悪い場合には、水中ポンプ型マイクロナノバブル発生機４１、水中ポンプ型マイクロナノバブル発生機２、水中ポンプ型マイクロナノバブル発生機３、および、水中ポンプ型マイクロナノバブル発生機４を運転状態にし、かつ、水中ポンプ型マイクロナノバブル発生機４１、水中ポンプ型マイクロナノバブル発生機２、水中ポンプ型マイクロナノバブル発生機３、および、水中ポンプ型マイクロナノバブル発生機４の夫々のモーター回転数を定格回転数付近に設定する。
【００９２】
また、第２ピット１７の水質が良好であるか、または、第２ピット１７の水質が最良であるかを判断する基準水質を第３基準水質とするとき、第２ピット１７の水質が、第２基準水質より良くて第３基準水質より悪い場合には、水中ポンプ型マイクロナノバブル発生機４１、水中ポンプ型マイクロナノバブル発生機２および水中ポンプ型マイクロナノバブル発生機３を運転状態にする一方、水中ポンプ型マイクロナノバブル発生機４を停止状態にする。また、水中ポンプ型マイクロナノバブル発生機４１、水中ポンプ型マイクロナノバブル発生機２および水中ポンプ型マイクロナノバブル発生機３の夫々のモーター回転数を、定格回転数付近に設定する。
【００９３】
また、第２ピット１７の水質が、第３基準水質より良い場合には、中ポンプ型マイクロナノバブル発生機４１および水中ポンプ型マイクロナノバブル発生機２を運転状態にする一方、水中ポンプ型マイクロナノバブル発生機３および水中ポンプ型マイクロナノバブル発生機４を停止状態にする。また、中ポンプ型マイクロナノバブル発生機４１および水中ポンプ型マイクロナノバブル発生機２の夫々のモーター回転数を最低にする。
【００９４】
もっと大雑把には、第２ピット１７内の水の水質を検出しているＵＶ検出器１８の値が、目的水質の基準となる基準値よりも高くて、第２ピット１７内の水の水質が基準水質よりも悪い場合には、第２ピット１７の水の水質が所定以上の水質になるように、マイクロナノバブル発生槽３８内の被処理水に、水中ポンプ型マイクロナノバブル発生機４１によって、水中ポンプ型マイクロナノバブル発生機４１の供給能力の最大限のマイクロナノバブルを供給する。また、それと同時に、第１ピット１内における被処理水に、水中ポンプ型マイクロナノバブル発生機２,３,４によって、３台の水中ポンプ型マイクロナノバブル発生機２,３,４によって供給できる供給能力の最大限のマイクロナノバブルを供給する。
【００９５】
マイクロナノバブル含有被処理水は、第１ピットポンプ８によって、急速濾過機１１に導入されるようになっている。ここで、第１ピットポンプ８によってくみ出されたマイクロナノバブル含有被処理水の全てを、必ずしも急速濾過機１１に導入する必要はない。すなわち、第１ピットポンプ８によってくみ出されたマイクロナノバブル含有被処理水のうちの一部を、バルブ９およびバルブ１０の調整によって、第１ピット１に返送循環しても良い。すなわち、処理水量を下げる場合において、第１ピットポンプ８によってくみ出されたマイクロナノバブル含有被処理水のうちの一部を、返送循環の配管ライン５０を介して、第１ピット１に返送循環しても良い。
【００９６】
急速濾過機１１は、被処理水中の浮遊物質を除去するようになっている。急速濾過機１１は、活性炭吸着塔１２内の活性炭が浮遊物質で閉塞されることを防止する役割を担っている。マイクロナノバブル含有被処理水は、急速濾過機１１を通過した後、活性炭吸着塔１２に導入されるようになっている。マイクロナノバブル含有被処理水中の有機物は、活性炭吸着塔１２内で活性炭に吸着された後、活性炭に繁殖したマイクロナノバブルによって活性化した微生物によって分解されるようになっている。このような機構により、活性炭の表面の有機物が分解除去され、その結果、被処理水の浄化を行うと共に、活性炭が自動再生されるようになっている。尚、図１において、生物処理装置４２と第１ピット１とをむすぶ配管９０、第１ピット１、マイクロナノバブル含有被処理水を第１ピット１から急速濾過機１１まで案内する配管６５、第１ピットポンプ８、バルブ１０、急速濾過機１１、および、マイクロナノバブル含有被処理水を急速濾過機１１から活性炭吸着塔１２まで案内する配管６６は、第１案内機構を構成している。尚、この発明では、仕様によって、第１案内機構を構成する装置および配管が適宜変化するのは勿論である。
【００９７】
この実施形態では、活性炭吸着塔１２内に充填された活性炭は、常に吸着と再生を繰り返しているので、活性炭を活性炭吸着塔１２から取り出して再生する必要がない。したがって、ランニングコストを低減できると同時に、予備の活性炭吸着塔１２も必要ないので、イニシャルコストも低減できる。尚、バルブ９および１０によって、微生物によって分解される有機物の分解速度が、活性炭に吸着する有機物の吸着速度以上になるように、活性炭吸着塔１２に流入するマイクロナノバブル含有被処理水の水量を制御すれば、活性炭の自発的な再生能力をさらに促進することができる。
【００９８】
上記活性炭吸着塔１２の出口から流出した水の少なくとも一部は、バルブ１６を介して第２ピット１７内に流入するようになっている。尚、バルブ１５とバルブ１６の開閉の調整により、活性炭吸着塔１２の出口から流出した水の一部を、バルブ１５を介して第１ピット１に返送循環しても良い。
【００９９】
また、第１ピット１内での水中ポンプ型マイクロナノバブル発生機２,３,４によるマイクロナノバブルの発生状態が悪い場合は、マイクロナノバブルを適正に発生させるために、マイクロナノバブル発生助剤タンク１３に貯留されているマイクロナノバブル発生助剤を、第１制御装置としてのマイクロナノバブル発生助剤タンク定量ポンプ１４の調整によって、第１ピット１内に添加することができる。第１ピット１内にマイクロナノバブル発生助剤を添加すると、マイクロナノバブル発生助剤が無添加の場合と比較して、格段に小さい超微細なマイクロナノバブルを発生させることができる。また、マイクロナノバブル発生槽３８内での水中ポンプ型マイクロナノバブル発生機４１によるマイクロナノバブルの発生状態が悪い場合は、マイクロナノバブルを適正に発生させるために、マイクロナノバブル発生助剤タンク１３に貯留されているマイクロナノバブル発生助剤を、第２制御装置としてのマイクロナノバブル発生助剤タンク定量ポンプ４５の調整によって、マイクロナノバブル発生槽３８内に添加することができる。マイクロナノバブル発生槽３８内にマイクロナノバブル発生助剤を添加すると、マイクロナノバブル発生助剤が無添加の場合と比較して、格段に小さい超微細なマイクロナノバブルを発生させることができる。
【０１００】
尚、マイクロナノバルブ発生助剤タンク１３の出口から第１ビット１までマイクロナノバブル発生助剤を案内する配管６０は、第１水通路を構成している。また、マイクロナノバルブ発生助剤タンク１３の出口からマイクロナノバブル発生槽３８までマイクロナノバブル発生助剤を案内する配管９４は、第２水通路を構成している。
【０１０１】
マイクロナノバブル発生助剤タンク１３に貯留されているマイクロナノバブル発生助剤は、マイクロナノバブル発生助剤のなかでも微生物分解性に優れたものである。微生物分解性に優れるマイクロナノバブル発生助剤を使用しているから、マイクロナノバブル発生助剤自体が第２ピット１７まで残存することはない。すなわち、マイクロナノバブル発生助剤は、マイクロナノバブルを発生させた後は、活性炭吸着塔１２内に繁殖した微生物によって、完全に微生物分解されることになる。
【０１０２】
水処理装置は、本実施形態のように自動運転仕様であっても良い。この場合、第２ピット１７内の処理水の水質を検出しているＵＶ検出器１８からの信号に基づいて、マイクロナノバブル発生助剤タンク定量ポンプ１４のモーターのモーター回転数が制御される。そして、適量のマイクロナノバブル発生助剤が第１ピット１に添加されることになる。すなわち、第２ピット１７の水質が悪い場合は、自動的にマイクロナノバブル発生助剤が多く添加して、マイクロナノバブルを多く発生させて、活性炭吸着塔１２の活性炭に繁殖した微生物を活性化させて、吸着した有機物を完全に分解するようにする。
【０１０３】
第２ピット１７の水質が、設定水質（放流規制値は確実に順守しなければならないから、上記設定水質とは、例えば、被処理水が排水である場合、放流規制値に基づく水質ではなく、放流規制値に基づく水質よりもきれいであり、かつ、自主管理値に基づく水質である）よりも悪い場合には、以下のＡ、Ｂ、Ｃの手続きを必要に応じて行うようになっている。そして、これらＡ、Ｂ、Ｃのうちの少なくとも１つの手続きにより、第２ピット１７の水質を、設定水質と比較して悪い状態から良い状態に改善するようになっている。尚、Ａ、Ｂ、Ｃの全てを実施すれば、浄化能力が最大になることは言うまでもない。
【０１０４】
Ａ．マイクロナノバブル発生助剤を第１ピット１およびマイクロナノバブル発生槽３８に多く添加する。
【０１０５】
Ｂ．水中ポンプ型マイクロナノバブル発生機２,３,４,４１のモーター回転数を高い値に設定する。
【０１０６】
Ｃ．３台の水中ポンプ型マイクロナノバブル発生機２,３,４,４１を全て稼働させる。
【０１０７】
尚、第１実施形態の水処理装置に上述の有機フッ素化合物含有排水が導入された場合、活性炭吸着塔１２の活性炭が有機フッ素化合物を吸着し、その後、マイクロナノバブルによって活性化した微生物が活性炭に大量に繁殖して、有機フッ素化合物を分解処理することが確認された。ここで、例えば、有機フッ素化合物としては、界面活性剤がある。活性炭は、界面活性剤をよく吸着し、かつ、マイクロナノバブルによって活性化した微生物が、活性炭が物理的に吸着した有機フッ素化合物を強力に分解処理することが確認された。
【０１０８】
また、本発明者は、被処理水にマイクロナノバブルを含有させてなるマイクロナノバブル含有被処理水を、生物処理、化学処理および物理処理のうちの少なくとも一つを行う前処理装置を導入すると、生物処理、化学処理および物理処理のうちの少なくとも一つからなる前処理の効率を格段に向上させることができることを確認した。
【０１０９】
また、水中ポンプ型マイクロナノバブル発生機２,３,４,４１は、市販されているものならば、如何なるメーカーのものであっても良い。本実施形態では、野村電子工業株式会社のものを採用したが、例えば、株式会社オーラテック等、野村電子工業株式会社以外の商品であっても良い。
【０１１０】
上記第１実施形態の水処理装置において、原水槽３６の容量を２ｍ３、マイクロナノバブル発生槽３８の容量を０.５ｍ３、生物処理装置４２の曝気槽の容量を８ｍ３、第１ピット１の容量を約４ｍ３、急速濾過機１１の容量を０.５ｍ３、活性炭吸着塔の容量を２ｍ３、第２ピット１７の容量を２ｍ３、マイクロナノバブル発生助剤タンクの容量を０.５ｍ３として、排水を導入して、約３ケ月間運転を行った。
【０１１１】
運転後、原水槽３６への入口ＴＯＣ〔トータル オーガニック カーボン〕濃度と第２ピット１７の出口のＴＯＣ〔トータル オーガニック カーボン〕の濃度を測定し、ＴＯＣの除去率を測定したところ、９２％であった。
【０１１２】
上記第１実施形態の水処理装置および水処理方法によれば、活性炭の再生を有機物の活性炭への吸着と同時に強力にできるので、活性炭吸着能力を格段に向上でき、活性炭吸着塔出口における水の水質を安定させることができる。
【０１１３】
また、上記第１実施形態の水処理装置によれば、マイクロナノバブルで微生物を活性化して、活性炭に繁殖させているから、活性炭が吸着した有機物を活性化した微生物でほぼ完全に分解することができる。詳しくは、マイクロナノバブル含有被処理水を、活性炭吸着塔に導入しているから、マイクロナノバブルを使用しない場合と比較して、微生物を、格段に繁殖させることができると共に、微生物を活性化することができる。そして、活性炭が吸着した有機物をほとんど完全に分解することができる。
【０１１４】
また、第１実施形態の水処理装置によれば、マイクロナノバブルの量を制御できる。したがって、マイクロナノバブルの量と比例関係にある活性炭処理能力（活性炭吸着量と活性化微生物の有機物分解量）を自在に制御することができる。また、最終処理水のＵＶ値を測定して、水質を監視し、更に、この監視結果をフィードバックさせるように、水中ポンプ型マイクロナノバブル発生機のモーターの回転数制御と、動作している水中ポンプ型マイクロナノバブル発生機の台数の台数制御のうちの少なくとも一つを行うことができるから、水質を安定させることができる。
【０１１５】
（第２実施形態）
図２は、本発明の第２実施形態の水処理装置を模式的に示す図である。
【０１１６】
第２実施形態の水処理装置は、第１ピット１の上部に、急速濾過機１１の出口から流出した後、活性炭吸着塔１２に流入しなかったマイクロナノバブル含有被処理水を収容する活性炭層水槽２４を設けた点が、第１実施形態の水処理装置と異なっている。尚、急速濾過機１１の出口から活性炭吸着塔１２までマイクロナノバブル含有被処理水を案内する配管６１は、第３水通路を構成し、急速濾過機１１の出口から活性炭層水槽２４までマイクロナノバブル含有被処理水を案内する配管６２は、第４水通路を構成している。図２に示すように、配管６１の一部６３は、配管６２の一部も兼ねている。
【０１１７】
第２実施形態の水処理装置では、第１実施形態の水処理装置の構成部と同一構成部には同一参照番号を付して説明を省略することにする。また、第２実施形態の水処理装置では、第１実施形態の水処理装置と共通の作用効果および変形例については説明を省略することにし、第１実施形態の水処理装置と異なる構成、作用効果についてのみ説明を行うことにする。
【０１１８】
上記活性炭層水槽２４には、活性炭が充填されている。上記活性炭層水槽２４に充填された活性炭は、活性炭層３５を形成している。上記活性炭層水槽２４の鉛直方向下方の底部２５は、多孔板からなっている。また、底部２５の上面には、合成樹脂製のネット（図示せず）が設置されていて、微細な活性炭が底部２５への流出することを防止している。活性炭層３５と底部２５を通過して下方に滴下した水滴２６は、第１ピット１に収容されるようになっている。
【０１１９】
また、活性炭吸着塔１２への通水量と、活性炭層水槽２４への通水量は、第３制御装置を構成するバルブ２１およびバルブ２２で調整するようになっている。バルブ２１およびバルブ２２の開度の割合は、第２ピット１７内の水の水質を見て決定するようになっている。
【０１２０】
第２実施形態の水処理装置によれば、活性炭吸着塔１２のみならず活性炭層水槽２４でも、有機物をマイクロナノバブルで活性化した微生物で分解処理することができるので、有機物の分解能力を格段に向上させることができる。したがって、生物処理装置４２からのマイクロナノバブル含有被処理水の有機物負荷量が高くて、活性炭吸着塔１２内の活性炭量のみでは、有機物を十分に分解することができない場合でも、確実に有機物を分解することができる。
【０１２１】
また、第２実施形態の水処理装置によれば、活性炭吸着塔１２のみならず活性炭層水槽２４にも活性炭が充填されていて、活性炭層水槽２４に充填された活性炭が活性炭層３５を形成しているから、その活性炭層３５の活性炭に、マイクロナノバブル含有被処理水のマイクロナノバブルで活性化した微生物を大量に繁殖させることができて、活性炭が吸着した有機物を微生物で分解処理することができる。したがって、活性炭層３５の活性炭は、自発的に再生するので、活性炭吸着塔１２内の活性炭と同様、活性炭層３５の活性炭を、活性炭層水槽２４から活性炭を取り出して再生する必要がない。
【０１２２】
（第３実施形態）
図３は、本発明の第３実施形態の水処理装置を模式的に示す図である。
【０１２３】
尚、図３において、２９および３０は、多孔板を示している。
【０１２４】
第３実施形態の水処理装置は、第１実施形態の水処理装置の第１ピット１に、活性炭２８が充填された網袋２７が設置されている点が、第１実施形態の水処理装置と異なっている。
【０１２５】
第３実施形態の水処理装置では、第１実施形態の水処理装置の構成部と同一構成部には同一参照番号を付して説明を省略することにする。また、第３実施形態の水処理装置では、第１実施形態の水処理装置と共通の作用効果および変形例については説明を省略することにし、第１実施形態の水処理装置と異なる構成、作用効果についてのみ説明を行うことにする。
【０１２６】
第３実施形態の水処理装置は、活性炭２８が充填された網袋２７を、水中ポンプ型マイクロナノバブル発生機２,３,４が設置された第１ピット１に設置している。したがって、網袋２７内の活性炭２８が、水中ポンプ型マイクロナノバブル発生機２,３,４のどれか又は全数から発生したマイクロナノバブルを効率よく受けることができる。したがって、活性炭２８に繁殖した微生物の活性化の度合が大きくて、活性炭２８に繁殖した微生物で効率よく有機物を分解することができ、生物処理装置４２からのマイクロナノバブル含有被処理水の有機物負荷量が高くて、活性炭吸着塔１２内の活性炭量のみでは、有機物を十分に分解することができない場合でも、確実に有機物を分解することができる。また、第１ピット１内の活性炭２８による有機物処理が１次処理となるから、活性炭吸着塔１２に充填された活性炭による有機物処理を２次処理とすることができる。すなわち、有機物処理を、２段階で行うことができるから、有機物処理を確実に行うことができる。
【０１２７】
（第４実施形態）
図４は、本発明の第４実施形態の水処理装置を模式的に示す図である。
【０１２８】
第４実施形態の水処理装置は、活性炭吸着塔１２に、活性炭に加えて、ひも状型ポリ塩化ビニリデン充填物３１を充填している点が、第１実施形態の水処理装置と異なっている。
【０１２９】
第４実施形態の水処理装置では、第１実施形態の水処理装置の構成部と同一構成部には同一参照番号を付して説明を省略することにする。また、第４実施形態の水処理装置では、第１実施形態の水処理装置と共通の作用効果および変形例については説明を省略することにし、第１実施形態の水処理装置と異なる構成、作用効果についてのみ説明を行うことにする。
【０１３０】
第４実施形態では、活性炭吸着塔１２内の水流入側に、ひも状型ポリ塩化ビニリデン充填物３１が充填されている一方、活性炭吸着塔１２内の水流出側に、活性炭が充填されている。
【０１３１】
第４実施形態によれば、活性炭吸着塔１２内の水流入側に、ひも状型ポリ塩化ビニリデン充填物３１が充填されている一方、活性炭吸着塔１２内の水流出側に、活性炭が充填されているから、活性炭吸着塔１２に導入されたマイクロナノバブル含有被処理水に含まれる有機物は、最初にひも状型ポリ塩化ビニリデン充填物に繁殖している活性化した微生物によって微生物分解され、その後、有機物負荷が軽減された状態で、活性炭吸着処理される。したがって、活性炭吸着がより確実になることに加えて、ひも状型ポリ塩化ビニリデン充填物３１で微生物を繁殖させることができて、さらに、微生物をひも状型ポリ塩化ビニリデン充填物３１から活性炭まで移動させることができる。したがって、活性炭が吸着した有機物をより確実に微生物分解することができて、浄化を促進することができると共に、活性炭の自発的な再生能力を格段に促進することができて、活性炭の再生作業を行う必要がない。
【０１３２】
（第５実施形態）
図５は、本発明の第５実施形態の水処理装置を模式的に示す図である。
【０１３３】
第５実施形態の水処理装置は、活性炭吸着塔１２に、活性炭に加えて、リング型ポリ塩化ビニリデン充填物３１を充填している点が、第１実施形態の水処理装置と異なっている。
【０１３４】
第５実施形態の水処理装置では、第１実施形態の水処理装置の構成部と同一構成部には同一参照番号を付して説明を省略することにする。また、第５実施形態の水処理装置では、第１実施形態の水処理装置と共通の作用効果および変形例については説明を省略することにし、第１実施形態の水処理装置と異なる構成、作用効果についてのみ説明を行うことにする。
【０１３５】
第５実施形態では、活性炭吸着塔１２内の水流入側に、リング型ポリ塩化ビニリデン充填物３１が充填されている一方、活性炭吸着塔１２内の水流出側に、活性炭が充填されている。
【０１３６】
第５実施形態によれば、活性炭吸着塔１２内の水流入側に、リング型ポリ塩化ビニリデン充填物３１が充填されている一方、活性炭吸着塔１２内の水流出側に、活性炭が充填されているから、活性炭吸着塔１２に導入された被処理水に含まれる有機物は、最初にリング型ポリ塩化ビニリデン充填物に繁殖している活性化した微生物によって微生物分解され、その後、有機物負荷が軽減された状態で、活性炭吸着処理される。したがって、活性炭吸着がより確実になることに加えて、リング型ポリ塩化ビニリデン充填物３１で微生物を繁殖させることができて、さらに、微生物をリング型ポリ塩化ビニリデン充填物３１から活性炭まで移動させることができる。したがって、活性炭が吸着した有機物をより確実に微生物分解することができて、浄化を促進することができると共に、活性炭の自発的な再生能力を格段に促進することができて、活性炭の再生作業を行う必要がない。
【０１３７】
（第６実施形態）
図６は、本発明の第６実施形態の水処理装置を模式的に示す図である。
【０１３８】
第６実施形態の水処理装置は、生物処理装置４２の代わりに前処理装置の一例としての化学処理装置４３を設置している点が、第１実施形態の水処理装置と異なっている。
【０１３９】
第６実施形態の水処理装置では、第１実施形態の水処理装置の構成部と同一構成部には同一参照番号を付して説明を省略することにする。また、第６実施形態の水処理装置では、第１実施形態の水処理装置と共通の作用効果および変形例については説明を省略することにし、第１実施形態の水処理装置と異なる構成、作用効果についてのみ説明を行うことにする。
【０１４０】
化学処理装置４３の一例としては、酸やアルカリを添加する中和装置がある。また、化学処理装置４３の他の例としては、薬品を添加して化学反応を行う凝集沈澱装置がある。対象水の水質内容によって、適切な化学処理装置が選定されるのは勿論である。どちらにしても、化学処理装置４３は、化学反応による化学処理はできても、有機物処理はできない。したがって、化学処理装置４３の出口の被処理水中に有機物が存在している場合、有機物処理が必要となる。
【０１４１】
被処理水中の有機物濃度が低い場合は、活性炭吸着塔１２の活性炭による吸着処理が一般的である。ただし、一般の活性炭吸着塔１２は、長時間通水し続けると、活性炭が破過する。しかしながら、本発明のマイクロナノバブルで活性化した微生物を、活性炭吸着塔１２の活性炭に繁殖させると、活性炭による有機物の吸着と、活性炭に繁殖した活性化微生物によって、活性炭が吸着した有機物を分解することができる。
【０１４２】
（第７実施形態）
図７は、本発明の第７実施形態の水処理装置を模式的に示す図である。
【０１４３】
第７実施形態の水処理装置は、生物処理装置４２の代わりに前処理装置の一例としての物理処理装置４４を設置している点が、第１実施形態の水処理装置と異なっている。
【０１４４】
第７実施形態の水処理装置では、第１実施形態の水処理装置の構成部と同一構成部には同一参照番号を付して説明を省略することにする。また、第７実施形態の水処理装置では、第１実施形態の水処理装置と共通の作用効果および変形例については説明を省略することにし、第１実施形態の水処理装置と異なる構成、作用効果についてのみ説明を行うことにする。
【０１４５】
物理処理装置４４としては、被処理水中の浮遊物質を除去する急速濾過機や、被処理中の油分を微細な泡を発生させて除去する加圧浮上装置などがある。対象水の水質内容によって、適切な物理処理装置が選定されるのは勿論である。どちらにしても、物理処理装置４４は、物理処理はできても、有機物処理はできない。したがって、物理処理装置出口の被処理水中に有機物が存在していると、有機物処理が必要となる。
【０１４６】
被処理水中の有機物濃度が低い場合は、活性炭吸着塔１２の活性炭による吸着処理が一般的である。ただし、一般の活性炭吸着塔１２は、長時間通水し続けると、活性炭が破過する。しかしながら、本発明のマイクロナノバブルで活性化した微生物を、活性炭吸着塔１２の活性炭に繁殖させると、活性炭による有機物の吸着と、活性炭に繁殖した活性化微生物によって、活性炭が吸着した有機物を分解することができる。
【０１４７】
尚、第１〜第７実施形態では、前処理装置が、一つの生物処理装置、一つ化学処理装置、または、一つの物理処理装置からなっていた。しかしながら、この発明では、前処理装置を、生物処理装置、化学処理装置および物理処理装置のうちの少なくとも二つを直列または並列等に接続することによって構成しても良く、この場合、浄化能力を向上させることができる。
【図面の簡単な説明】
【０１４８】
【図１】本発明の第１実施形態の水処理装置を模式的に示す図である。
【図２】本発明の第２実施形態の水処理装置を模式的に示す図である。
【図３】本発明の第３実施形態の水処理装置を模式的に示す図である。
【図４】本発明の第４実施形態の水処理装置を模式的に示す図である。
【図５】本発明の第５実施形態の水処理装置を模式的に示す図である。
【図６】本発明の第６実施形態の水処理装置を模式的に示す図である。
【図７】本発明の第７実施形態の水処理装置を模式的に示す図である。
【符号の説明】
【０１４９】
１  第１ピット
２  第２水中ポンプ型マイクロナノバブル発生機  
３  第３水中ポンプ型マイクロナノバブル発生機  
４  第４水中ポンプ型マイクロナノバブル発生機  
５,３９  ブロワー
６,４０  空気配管
７  水流
８  第１ピットポンプ
９,１０,１５,１６,２１,２２  バルブ
１１  急速濾過機
１２  活性炭吸着塔
１３  マイクロナノバブル発生助剤タンク
１４  第１マイクロナノバブル発生助剤タンク定量ポンプ
１７  第２ピット
１８  ＵＶ検出器
１９  ＵＶ調節計
２０  モーター回転数制御器
２３  散水管
２４  活性炭層水槽
２５  多孔板
２６  水滴
２７  網袋
２８  活性炭
２９,３０  多孔板
３１  ひも状型ポリ塩化ビニリデン充填材
３２  リング型ポリ塩化ビニリデン充填材
３３  信号線
３４  運転台数制御器
３５  活性炭層
３６  原水槽
３７  原水槽ポンプ
３８  マイクロナノバブル発生槽
４１  第１水中ポンプ型マイクロナノバブル発生機
４２  生物処理装置
４３  化学処理装置
４４  物理処理装置
４５  第２マイクロナノバブル発生助剤タンク定量ポンプ
【図１】
0005209187.tif 000002
【図２】
0005209187.tif 000003
【図３】
0005209187.tif 000004
【図４】
0005209187.tif 000005
【図５】
0005209187.tif 000006
【図６】
0005209187.tif 000007
【図７】
0005209187.tif 000008